(57)【要約】      （修正有）【課題】表示装置に表示される映像の乱れを抑制可能な映像信号処理装置を提供する。【解決手段】デジタル映像信号の映像データの１フレームにおいて、水平方向に連続する２ピクセルのデータ値の差が大きくなる箇所を、大きい順に２箇所決定する。２箇所の連続する２ピクセルについて、一方は先のピクセルに対して、他方は後のピクセルに対して、それぞれ続く複数フレーム分の分散を求め、Ａ／Ｄ変換部１１のサンプリング位相を変える。再度２箇所の連続する２ピクセルについて、一方は先のピクセルに対して、他方は後のピクセルに対して、それぞれ続く複数フレーム分の分散を求める処理を、Ａ／Ｄ変換部のサンプリング位相の可変回数繰り返す。求められた分散が最も小さくなるサンプリング位相を、最適なサンプリング位相として選択する。【選択図】図１
2017085402.tif 000002
【特許請求の範囲】
【請求項１】
サンプリングクロックに応じて、映像信号源から入力されたアナログ映像信号をデジタル映像信号に変換するＡ／Ｄ変換部と、
前記映像信号源からの水平同期信号に基づいて、前記サンプリングクロックを生成するクロック生成部と、
前記デジタル映像信号と、前記水平同期信号および垂直同期信号とに基づいて、最適なサンプリング位相を選択し、前記サンプリングクロックを補正する位相調整部と、を備え、
前記位相調整部は、
前記デジタル映像信号の映像データの１フレームにおいて、水平方向に連続する２ピクセルのデータ値の差が大きくなる箇所を、大きい順に２箇所決定し、
前記２箇所の連続する２ピクセルについて、一方は先のピクセルに対して、他方は後のピクセルに対して、それぞれ続く複数フレーム分の分散を求め、
前記Ａ／Ｄ変換部のサンプリング位相を変えて、再度前記２箇所の連続する２ピクセルについて、一方は先のピクセルに対して、他方は後のピクセルに対して、それぞれ続く複数フレーム分の分散を求める処理を、前記Ａ／Ｄ変換部のサンプリング位相の可変回数繰り返し、
求められた分散が最も小さくなるサンプリング位相を、最適なサンプリング位相として選択する
映像信号処理装置。
【請求項２】
サンプリングクロックに応じて、映像信号源から入力されたアナログ映像信号をデジタル映像信号に変換するＡ／Ｄ変換部と、
前記映像信号源からの水平同期信号および垂直同期信号と、ＤＥフィードバック信号とに基づいて、映像データの有効期間を示すＤＥ信号を生成するイネーブル信号生成部と、
前記Ａ／Ｄ変換部からの前記デジタル映像信号と、前記水平同期信号および垂直同期信号と、前記イネーブル信号生成部からの前記ＤＥ信号とに基づいて、前記ＤＥ信号を補正するためのＤＥフィードバック信号を前記イネーブル信号生成部に出力する位置調整部と、を備え、
前記位置調整部は、
前記デジタル映像信号の１フレーム分の映像データのうち、画像内の四隅の１ピクセルのデータ値を確認し、
前記データ値が０であるか、０以外であるかに応じて、前記ＤＥ信号の開始位置およびパルス幅、並びに前記ＤＥ信号のＶブランク期間バックポーチおよびＶブランク期間フロントポーチを変化させる
映像信号処理装置。
【請求項３】
前記映像信号源からの水平同期信号および垂直同期信号と、ＤＥフィードバック信号とに基づいて、映像データの有効期間を示すＤＥ信号を生成するイネーブル信号生成部と、
前記Ａ／Ｄ変換部からの前記デジタル映像信号と、前記水平同期信号および垂直同期信号と、前記イネーブル信号生成部からの前記ＤＥ信号とに基づいて、前記ＤＥ信号を補正するためのＤＥフィードバック信号を前記イネーブル信号生成部に出力する位置調整部と、をさらに備え、
前記位置調整部は、
前記デジタル映像信号の１フレーム分の映像データのうち、画像内の四隅の１ピクセルのデータ値を確認し、
前記データ値が０であるか、０以外であるかに応じて、前記ＤＥ信号の開始位置およびパルス幅、並びに前記ＤＥ信号のＶブランク期間バックポーチおよびＶブランク期間フロントポーチを変化させる
請求項１に記載の映像信号処理装置。
【請求項４】
サンプリングクロックに応じて、映像信号源から入力されたアナログ映像信号をデジタル映像信号に変換するＡ／Ｄ変換部と、
前記映像信号源からの水平同期信号に基づいて、前記サンプリングクロックを生成するクロック生成部と、
前記デジタル映像信号と、前記水平同期信号および垂直同期信号とに基づいて、最適なサンプリング位相を選択し、前記サンプリングクロックを補正する位相調整部と、を備えた映像信号処理装置で実行される映像信号処理方法であって、
前記デジタル映像信号の映像データの１フレームにおいて、水平方向に連続する２ピクセルのデータ値の差が大きくなる箇所を、大きい順に２箇所決定するステップと、
前記２箇所の連続する２ピクセルについて、一方は先のピクセルに対して、他方は後のピクセルに対して、それぞれ続く複数フレーム分の分散を求めるステップと、
前記Ａ／Ｄ変換部のサンプリング位相を変えて、再度前記２箇所の連続する２ピクセルについて、一方は先のピクセルに対して、他方は後のピクセルに対して、それぞれ続く複数フレーム分の分散を求める処理を、前記Ａ／Ｄ変換部のサンプリング位相の可変回数繰り返すステップと、
求められた分散が最も小さくなるサンプリング位相を、最適なサンプリング位相として選択するステップと、
を有する映像信号処理方法。
【請求項５】
サンプリングクロックに応じて、映像信号源から入力されたアナログ映像信号をデジタル映像信号に変換するＡ／Ｄ変換部と、
前記映像信号源からの水平同期信号および垂直同期信号と、ＤＥフィードバック信号とに基づいて、映像データの有効期間を示すＤＥ信号を生成するイネーブル信号生成部と、
前記Ａ／Ｄ変換部からの前記デジタル映像信号と、前記水平同期信号および垂直同期信号と、前記イネーブル信号生成部からの前記ＤＥ信号とに基づいて、前記ＤＥ信号を補正するためのＤＥフィードバック信号を前記イネーブル信号生成部に出力する位置調整部と、を備えた映像信号処理装置で実行される映像信号処理方法であって、
前記デジタル映像信号の１フレーム分の映像データのうち、画像内の四隅の１ピクセルのデータ値を確認するステップと、
前記データ値が０であるか、０以外であるかに応じて、前記ＤＥ信号の開始位置およびパルス幅、並びに前記ＤＥ信号のＶブランク期間バックポーチおよびＶブランク期間フロントポーチを変化させるステップと、
を有する映像信号処理装置。
【発明の詳細な説明】
【技術分野】
【０００１】
この発明は、入力されたアナログ映像信号をデジタル映像信号に変換して出力する映像信号処理装置および映像信号処理方法に関する。
【背景技術】
【０００２】
従来、ＰＣ等の映像信号源から入力されたアナログ映像信号をデジタル映像信号に変換して出力する映像信号処理装置は、アナログ映像信号をＡ／Ｄ変換して生成されたデジタル映像信号と、映像信号源から入力された水平同期信号（Ｈｓｙｎｃ）および垂直同期信号（Ｖｓｙｎｃ）と、水平同期信号および垂直同期信号に基づいて生成され、映像データの有効期間を示すデータイネーブル信号（以下、「ＤＥ信号」と称する）とを表示装置に出力している。
【０００３】
ここで、アナログ映像信号をＡ／Ｄ変換する際、アナログ映像信号に同期したサンプリングクロックが必要であり、通常の場合、フェーズロックドループ回路（以下、「ＰＬＬ回路」と称する）を設け、水平同期信号に同期したサンプリングクロックを生成している。しかしながら、サンプリングクロックの位相（以下、「サンプリング位相」と称する）が適切でない場合には、表示装置に表示される映像にちらつきが生じるという問題があった。
【０００４】
そこで、上記の問題を解決するために、入力同期信号に同期したクロックを生成するクロック生成部、クロックを一段当たり２〜３ｎｓ遅延させ、位相をずらす遅延部が多段接続され、そこから得られた複数のサンプリングクロックと選択信号とを受けてサンプリングクロックを選択するクロック位相ずらし部、入力映像信号をＡ／Ｄ変換するＡ／Ｄ変換部、デジタル変換された映像信号をフレーム単位で格納するフレームメモリ部、選択信号を生成し、フレームメモリ部から映像データを読み込み、種々の演算を行うＣＰＵ部からなり、任意のサンプリングクロックにおける一走査線の隣接画素間映像データ差の最大のアドレスを算出し、他のサンプリングクロックを選択したとき、そのアドレスのデータの読み込みを所定回数繰り返し、そのばらつきが最小となるサンプリングクロックを最適位相のサンプリングクロックとする映像信号処理回路が提案されている（例えば、特許文献１参照）。
【先行技術文献】
【特許文献】
【０００５】
【特許文献１】特開２０００−１５２０３０号公報
【発明の概要】
【発明が解決しようとする課題】
【０００６】
しかしながら、従来技術には、以下のような課題がある。
まず、特許文献１の映像信号処理回路では、一走査線中の隣接する２画素それぞれのばらつきの最大値を記憶し、ばらつきの最大値が最小となるときのサンプリング位相を最適としているが、偶然良い映像データが連続した場合に、本来であればサンプリング位相として不適切な状態であるにもかかわらず、最適なサンプリング位相であると判断され、表示装置に表示される映像が改善されない恐れがあるという問題がある。
【０００７】
また、従来の映像信号処理装置は、上述したように、映像信号源から入力された水平同期信号および垂直同期信号に基づいてＤＥ信号を生成しているが、アナログ映像信号における映像データの有効期間と、ＤＥ信号が示すデジタル映像信号における映像データの有効期間との間にずれが生じることがあり、これにより表示装置に表示される映像が、表示装置の表示範囲からずれる恐れがあるという問題もある。
【０００８】
すなわち、サンプリング位相として不適切な状態であるにもかかわらず、最適なサンプリング位相であると判定される位相ずれや、表示装置に表示される映像の表示位置が、表示装置の表示範囲からずれる位置ずれによって、表示装置に表示される映像が乱れるという問題がある。
【０００９】
この発明は、上記のような課題を解決するためになされたものであり、表示装置に表示される映像の乱れを抑制することができる映像信号処理装置および映像信号処理方法を得ることを目的とする。
【課題を解決するための手段】
【００１０】
この発明に係る映像信号処理装置は、サンプリングクロックに応じて、映像信号源から入力されたアナログ映像信号をデジタル映像信号に変換するＡ／Ｄ変換部と、映像信号源からの水平同期信号に基づいて、サンプリングクロックを生成するクロック生成部と、デジタル映像信号と、水平同期信号および垂直同期信号とに基づいて、最適なサンプリング位相を選択し、サンプリングクロックを補正する位相調整部と、を備え、位相調整部は、デジタル映像信号の映像データの１フレームにおいて、水平方向に連続する２ピクセルのデータ値の差が大きくなる箇所を、大きい順に２箇所決定し、２箇所の連続する２ピクセルについて、一方は先のピクセルに対して、他方は後のピクセルに対して、それぞれ続く複数フレーム分の分散を求め、Ａ／Ｄ変換部のサンプリング位相を変えて、再度２箇所の連続する２ピクセルについて、一方は先のピクセルに対して、他方は後のピクセルに対して、それぞれ続く複数フレーム分の分散を求める処理を、Ａ／Ｄ変換部のサンプリング位相の可変回数繰り返し、求められた分散が最も小さくなるサンプリング位相を、最適なサンプリング位相として選択するものである。
【００１１】
また、この発明に係る映像信号処理装置は、サンプリングクロックに応じて、映像信号源から入力されたアナログ映像信号をデジタル映像信号に変換するＡ／Ｄ変換部と、映像信号源からの水平同期信号および垂直同期信号と、ＤＥフィードバック信号とに基づいて、映像データの有効期間を示すＤＥ信号を生成するイネーブル信号生成部と、Ａ／Ｄ変換部からのデジタル映像信号と、水平同期信号および垂直同期信号と、イネーブル信号生成部からのＤＥ信号とに基づいて、ＤＥ信号を補正するためのＤＥフィードバック信号をイネーブル信号生成部に出力する位置調整部と、を備え、位置調整部は、デジタル映像信号の１フレーム分の映像データのうち、画像内の四隅の１ピクセルのデータ値を確認し、データ値が０であるか、０以外であるかに応じて、ＤＥ信号の開始位置およびパルス幅、並びにＤＥ信号のＶブランク期間バックポーチおよびＶブランク期間フロントポーチを変化させるものである。
【００１２】
この発明に係る映像信号処理方法は、サンプリングクロックに応じて、映像信号源から入力されたアナログ映像信号をデジタル映像信号に変換するＡ／Ｄ変換部と、映像信号源からの水平同期信号に基づいて、サンプリングクロックを生成するクロック生成部と、デジタル映像信号と、水平同期信号および垂直同期信号とに基づいて、最適なサンプリング位相を選択し、サンプリングクロックを補正する位相調整部と、を備えた映像信号処理装置で実行される映像信号処理方法であって、デジタル映像信号の映像データの１フレームにおいて、水平方向に連続する２ピクセルのデータ値の差が大きくなる箇所を、大きい順に２箇所決定するステップと、２箇所の連続する２ピクセルについて、一方は先のピクセルに対して、他方は後のピクセルに対して、それぞれ続く複数フレーム分の分散を求めるステップと、Ａ／Ｄ変換部のサンプリング位相を変えて、再度２箇所の連続する２ピクセルについて、一方は先のピクセルに対して、他方は後のピクセルに対して、それぞれ続く複数フレーム分の分散を求める処理を、Ａ／Ｄ変換部のサンプリング位相の可変回数繰り返すステップと、求められた分散が最も小さくなるサンプリング位相を、最適なサンプリング位相として選択するステップとを有するものである。
【００１３】
また、この発明に係る映像信号処理方法は、サンプリングクロックに応じて、映像信号源から入力されたアナログ映像信号をデジタル映像信号に変換するＡ／Ｄ変換部と、映像信号源からの水平同期信号および垂直同期信号と、ＤＥフィードバック信号とに基づいて、映像データの有効期間を示すＤＥ信号を生成するイネーブル信号生成部と、Ａ／Ｄ変換部からのデジタル映像信号と、水平同期信号および垂直同期信号と、イネーブル信号生成部からのＤＥ信号とに基づいて、ＤＥ信号を補正するためのＤＥフィードバック信号をイネーブル信号生成部に出力する位置調整部と、を備えた映像信号処理装置で実行される映像信号処理方法であって、デジタル映像信号の１フレーム分の映像データのうち、画像内の四隅の１ピクセルのデータ値を確認するステップと、データ値が０であるか、０以外であるかに応じて、ＤＥ信号の開始位置およびパルス幅、並びにＤＥ信号のＶブランク期間バックポーチおよびＶブランク期間フロントポーチを変化させるステップとを有するものである。
【発明の効果】
【００１４】
この発明に係る映像信号処理装置および映像信号処理方法によれば、デジタル映像信号の映像データの１フレームにおいて、水平方向に連続する２ピクセルのデータ値の差が大きくなる箇所を、大きい順に２箇所決定し、２箇所の連続する２ピクセルについて、一方は先のピクセルに対して、他方は後のピクセルに対して、それぞれ続く複数フレーム分の分散を求め、Ａ／Ｄ変換部のサンプリング位相を変えて、再度２箇所の連続する２ピクセルについて、一方は先のピクセルに対して、他方は後のピクセルに対して、それぞれ続く複数フレーム分の分散を求める処理を、Ａ／Ｄ変換部のサンプリング位相の可変回数繰り返し、求められた分散が最も小さくなるサンプリング位相を、最適なサンプリング位相として選択する。
また、この発明に係る映像信号処理装置および映像信号処理方法によれば、デジタル映像信号の１フレーム分の映像データのうち、画像内の四隅の１ピクセルのデータ値を確認し、データ値が０であるか、０以外であるかに応じて、ＤＥ信号の開始位置およびパルス幅、並びにＤＥ信号のＶブランク期間バックポーチおよびＶブランク期間フロントポーチを変化させる。
そのため、表示装置に表示される映像の乱れを抑制することができる。
【図面の簡単な説明】
【００１５】
【図１】この発明の実施の形態１に係る映像信号処理装置を表示装置とともに示すブロック構成図である。
【図２】この発明の実施の形態１に係る映像信号処理装置の位相調整部の機能を示す説明図である。
【図３】この発明の実施の形態１に係る映像信号処理装置の位相調整部の処理を示すフローチャートである。
【図４】この発明の実施の形態１に係る映像信号処理装置に係る、アナログ映像信号における映像データの有効範囲と、ＤＥ信号が示すデジタル映像信号における映像データの有効範囲との関係を示す説明図である。
【図５】この発明の実施の形態１に係る映像信号処理装置の位置調整部の機能を示す説明図である。
【図６】この発明の実施の形態１に係る映像信号処理装置の位置調整部の処理を示すフローチャートである。
【図７】この発明の実施の形態１に係る映像信号処理装置の位置調整部の処理を示すフローチャートである。
【図８】この発明の実施の形態１に係る映像信号処理装置の位置調整部の処理を示すフローチャートである。
【図９】この発明の実施の形態１に係る映像信号処理装置の位置調整部の処理を示すフローチャートである。
【図１０】この発明の実施の形態１に係る映像信号処理装置の位置調整部の処理を示すフローチャートである。
【図１１】この発明の実施の形態１に係る映像信号処理装置の位置調整部の処理を示すフローチャートである。
【図１２】この発明の実施の形態１に係る映像信号処理装置の位置調整部の処理を示すフローチャートである。
【図１３】この発明の実施の形態１に係る映像信号処理装置の位置調整部の処理を示すフローチャートである。
【図１４】この発明の実施の形態１に係る映像信号処理装置の位置調整部の処理を示すフローチャートである。
【図１５】この発明の実施の形態１に係る映像信号処理装置の位置調整部の処理を示すフローチャートである。
【図１６】この発明の実施の形態１に係る映像信号処理装置の位置調整部の処理を示すフローチャートである。
【発明を実施するための形態】
【００１６】
以下、この発明に係る映像信号処理装置および映像信号処理方法の好適な実施の形態につき図面を用いて説明するが、各図において同一、または相当する部分については、同一符号を付して説明する。なお、この発明は、サンプリング位相の位相ずれや表示位置の位置ずれを、映像信号源から入力された信号を用いて調整するものである。
【００１７】
実施の形態１．
図１は、この発明の実施の形態１に係る映像信号処理装置を表示装置とともに示すブロック構成図である。図１において、映像信号処理装置１０は、Ａ／Ｄ変換部１１、クロック生成部１２、位相調整部１３、イネーブル信号生成部１４および位置調整部１５を備えている。
【００１８】
また、映像信号処理装置１０は、ＰＣ等の映像信号源からのアナログ映像信号、水平同期信号および垂直同期信号が入力されて、デジタル映像信号、水平同期信号、垂直同期信号およびＤＥ信号を表示装置２０に出力する。
【００１９】
ここで、映像信号処理装置１０は、例えばＣＰＵ（Ｃｅｎｔｒａｌ  Ｐｒｏｃｅｓｓｉｎｇ  Ｕｎｉｔ）、ＣＰＵおよびＤＳＰ（Ｄｉｇｉｔａｌ  Ｓｉｇｎａｌ  Ｐｒｏｃｅｓｓｏｒ）、ＦＰＧＡ（Ｆｉｅｌｄ  Ｐｒｏｇｒａｍｍａｂｌｅ  Ｇａｔｅ  Ａｒｒａｙ）、またはＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等で構成されている。
【００２０】
Ａ／Ｄ変換部１１は、位相調整部１３からのサンプリングクロックに応じて、映像信号源からのアナログ映像信号をデジタル映像信号に変換して出力する。クロック生成部１２は、ＰＬＬ回路からなり、映像信号源からの水平同期信号に基づいて、サンプリングクロックを生成して出力する。
【００２１】
位相調整部１３は、Ａ／Ｄ変換部１１からのデジタル映像信号と、映像信号源からの水平同期信号および垂直同期信号とに基づいて、最適なサンプリング位相を選択し、クロック生成部１２からのサンプリングクロックを補正してＡ／Ｄ変換部１１に出力することで、サンプリング位相の位相ずれを調整する。
【００２２】
具体的には、位相調整部１３は、デジタル映像信号の映像データの１フレームにおいて、水平方向に（１ライン上で）連続する２ピクセルのデータ値の差が大きくなる箇所を、大きい順に２箇所決定する。また、位相調整部１３は、この２箇所の連続する２ピクセルについて、一方は先のピクセルに対して、他方は後のピクセルに対して、それぞれ続く複数フレーム（例えば、５フレーム）分の分散を求める。
【００２３】
また、位相調整部１３は、Ａ／Ｄ変換部１１のサンプリング位相を変えて、再度この２箇所の連続する２ピクセルについて、一方は先のピクセルに対して、他方は後のピクセルに対して、それぞれ続く複数フレーム分の分散を求める。また、位相調整部１３は、この処理をＡ／Ｄ変換部１１のサンプリング位相の可変回数（例えば、６４回）繰り返し、分散が最も小さくなるサンプリング位相を、最適なサンプリング位相として選択する。
【００２４】
図２は、この発明の実施の形態１に係る映像信号処理装置の位相調整部の機能を示す説明図である。なお、映像信号処理装置１０には、アナログ映像信号として、黒でなくかつ単色でない静止画の映像データが入力される。
【００２５】
まず、位相調整部１３は、１フレーム内で水平方向に連続する２ピクセルのデータ値（Ｒ／Ｇ／Ｂ個別）の差が最も大きい所と、次に大きい所の２箇所を１フレーム目に決定する。このとき、連続する２ピクセルのデータ値は、大から小、および小から大のどちらも対象とする。
【００２６】
続いて、位相調整部１３は、決定した連続する２ピクセルの１箇所目は、先のピクセルの座標、連続する２ピクセルの２箇所目は、後のピクセルの座標について、以降５フレームの映像データから、それぞれの座標で映像データの分散を求める（図２（ａ））。
【００２７】
次に、位相調整部１３は、Ａ／Ｄ変換部１１のサンプリング位相を変化させて、再度再度この２箇所の連続する２ピクセルについて、５フレーム分の映像データの分散を求める。続いて、位相調整部１３は、この処理をＡ／Ｄ変換部１１のサンプリング位相の可変回数（ここでは、６４回）繰り返し、分散が最も小さくなるサンプリング位相を、最適なサンプリング位相として選択する（図２（ｂ））。
【００２８】
ここで、図２（ｃ）を参照しながら、サンプリング位相が映像データの前側の変化点にある場合について説明する。このとき、先のピクセルについては、サンプリング対象の映像データと、その１ピクセル前の映像データとのどちらかをサンプリングする。そのため、１ピクセル前のデータの大きさによって、サンプリングしたデータの時間変化が大きい場合もあれば小さい場合もある。すなわち、分散が大きくなる可能性がある。
【００２９】
また、後のピクセルについては、サンプリング対象の映像データと、その１ピクセル前の、データの差が大きいはずの映像データとのどちらかをサンプリングする。そのため、サンプリングしたデータの時間変化が大きく、分散が大きくなる。
【００３０】
次に、図２（ｄ）を参照しながら、サンプリング位相が映像データの後側の変化点にある場合について説明する。このとき、先のピクセルについては、サンプリング対象の映像データと、その１ピクセル後の、データの差が大きいはずの映像データとのどちらかをサンプリングする。そのため、サンプリングしたデータの時間変化が大きく、分散が大きくなる。
【００３１】
また、後のピクセルについては、サンプリング対象の映像データと、その１ピクセル後の映像データとのどちらかをサンプリングする。そのため、１ピクセル前のデータの大きさによって、サンプリングしたデータの時間変化が大きい場合もあれば小さい場合もある。すなわち、分散が大きくなる可能性がある。
【００３２】
これに対して、図２（ｅ）に示されるように、サンプリング位相が最適である場合には、先のピクセルおよび後のピクセルの何れについても、サンプリングしたデータの時間変化が小さく、分散が小さくなる。
【００３３】
図３は、この発明の実施の形態１に係る映像信号処理装置の処理を示すフローチャートである。
図３において、まず、位相調整部１３は、変数ｉを初期値１に設定する（ステップＳ１０１）。
【００３４】
続いて、位相調整部１３は、変数ｉ＝１のサンプリング位相（ＣＬＫｓａｍｐｌｅ  ｉ）を選択し（ステップＳ１０２）、Ａ／Ｄ変換を実行して（ステップＳ１０３）、水平方向に連続する２ピクセルのデータ値の差が大きくなる箇所を、大きい順に２箇所決定する（ステップＳ１０４）。
【００３５】
次に、位相調整部１３は、変数ｉ＝１のサンプリング位相（ＣＬＫｓａｍｐｌｅ  ｉ）を選択し（ステップＳ１０５）、Ａ／Ｄ変換を実行して（ステップＳ１０６）、連続する５フレーム分の映像データを読み出し（ステップＳ１０７）、連続する５フレーム分の分散を求める（ステップＳ１０８）。
【００３６】
続いて、位相調整部１３は、変数ｉが６４であるか否かを判定する（ステップＳ１０９）。
ステップＳ１０９において、変数ｉが６４でない（すなわち、Ｎｏ）と判定された場合には、位相調整部１３は、変数ｉにｉ＋１を代入して（ステップＳ１１０）、ステップＳ１０５に移行する。
【００３７】
一方、ステップＳ１０９において、変数ｉが６４である（すなわち、Ｙｅｓ）と判定された場合には、位相調整部１３は、分散が最小となるサンプリング位相（ＣＬＫｓａｍｐｌｅ  ｉ）を、最適なサンプリング位相として選択し（ステップＳ１１１）、図３の処理を終了する。
【００３８】
このように、位相調整部１３が、隣接する２ピクセルを２箇所使用し、一方は先のピクセル、他方は後のピクセルの分散が最小となる場合のサンプリング位相を、最適なサンプリング位相として選択する。これにより、最適なタイミングでアナログ映像信号をサンプリングすることができる。
【００３９】
図１に戻って、イネーブル信号生成部１４は、映像信号源からの水平同期信号および垂直同期信号と、位置調整部１５からのＤＥフィードバック信号とに基づいて、映像データの有効期間を示すＤＥ信号を生成して出力する。
【００４０】
位置調整部１５は、Ａ／Ｄ変換部１１からのデジタル映像信号と、映像信号源からの水平同期信号および垂直同期信号と、イネーブル信号生成部１４からのＤＥ信号とに基づいて、ＤＥ信号を補正するためのＤＥフィードバック信号をイネーブル信号生成部１４に出力することで、表示位置の位置ずれを調整する。
【００４１】
すなわち、位置調整部１５は、デジタル映像信号の１フレーム分の映像データのうち、画像内の四隅の１ピクセルのデータ値（Ｒ／Ｇ／Ｂ個別）を確認し、データ値が０である（表示が黒である）か、０以外である（表示が黒でない）かによって、現在のタイミングで映像データを全て取り込んでいるか否かを判定する。
【００４２】
図４は、この発明の実施の形態１に係る映像信号処理装置に係る、ＤＥ信号が示すデジタル映像信号における映像データの有効範囲と、アナログ映像信号における映像データの有効範囲との関係を示す説明図である。
【００４３】
図４において、デジタル映像信号における映像データの有効範囲は、表示装置２０に表示されている表示領域を示し、アナログ映像信号における映像データの有効範囲は、理想的な映像データの表示位置を示している。
【００４４】
ここで、ＤＥ信号の開始位置（以下、「ＤＥ開始位置」と称する）およびＤＥ信号のパルス幅（以下、「ＤＥパルス幅」と称する）を変化させること、並びにＤＥ信号の出力期間を設定するためのＶブランク期間バックポーチ（以下、「バックポーチ」と略称する）およびＶブランク期間フロントポーチ（以下、「フロントポーチ」と略称する）を変化させることにより、映像データの表示位置を、表示装置２０に表示されている表示領域に一致させることができる。なお、ＤＥ開始位置、ＤＥパルス幅、バックポーチおよびフロントポーチは、レジスタで設定可能である。
【００４５】
具体的には、位置調整部１５は、垂直同期信号（Ｖｓｙｎｃ）後の最初のＤＥ信号の最初および最後のデータ、すなわちデジタル映像信号における映像データの有効範囲の左上のデータＡおよび右上のデータＢ、並びに垂直同期信号（Ｖｓｙｎｃ）前の最後のＤＥ信号の最初および最後のデータ、すなわちデジタル映像信号における映像データの有効範囲の左下のデータＣおよび右下のデータＤを確認する。
【００４６】
図５は、この発明の実施の形態１に係る映像信号処理装置の位置調整部の機能を示す説明図である。なお、映像信号処理装置１０には、アナログ映像信号として、黒でない静止画の映像データが入力される。
【００４７】
まず、位置調整部１５は、データＡＢＣＤすべてが０である（図５の１．）場合には、表示領域内で最初の０でないデータ値となる座標から、ＤＥ信号と表示位置との誤差を検出し、ＤＥ開始位置、バックポーチおよびフロントポーチを変化させて、データＡが０でない状態にする。
【００４８】
また、位置調整部１５は、ＡもしくはＣのデータが０であり、ＢもしくはＤのデータが０でない（図５の２−１．）場合には、表示位置を左にずらすために、ＡもしくはＣのデータが０以外となるまでＤＥ開始位置を大きくする。このとき、ＤＥパルス幅は変わらない。
【００４９】
また、位置調整部１５は、ＢもしくはＤのデータが０であり、ＡもしくはＣのデータが０でない（図５の２−２．）場合には、表示位置を右にずらすために、ＡもしくはＣのデータが０以外となるまでＤＥ開始位置を小さくする。このとき、ＤＥパルス幅は変わらない。
【００５０】
また、位置調整部１５は、Ａのデータが０であり、Ｃのデータが０でない（図５の３−１．）場合には、表示位置を上にずらすために、Ａのデータが０以外となるまでバックポーチを大きくする。このとき、同時に同じ値だけフロントポーチを小さくする。
【００５１】
また、位置調整部１５は、Ｃのデータが０であり、Ａのデータが０でない（図５の３−２．）場合には、表示位置を下にずらすために、Ａのデータが０となる前までバックポーチを小さくする。このとき、同時に同じ値だけフロントポーチを大きくする。
【００５２】
また、位置調整部１５は、Ｃのデータが０である（図５の４−１．）場合には、表示領域の縦方向長さと表示位置の縦方向長さとを一致させるために、Ｃのデータが０以外となるまでフロントポーチを大きくする。
【００５３】
また、位置調整部１５は、Ｃのデータが０でない（図５の４−２．）場合には、表示領域の縦方向長さと表示位置の縦方向長さとを一致させるために、Ｃのデータが０となる前までＶブランク期間フロントポーチを小さくする。
【００５４】
また、位置調整部１５は、Ｂのデータが０である（図５の５−１．）場合には、表示領域の横方向長さと表示位置の横方向長さとを一致させるために、Ｂのデータが０以外となるまでＤＥパルス幅を小さくする。
【００５５】
また、位置調整部１５は、Ｂのデータが０でない（図５の５−２．）場合には、表示領域の横方向長さと表示位置の横方向長さとを一致させるために、Ｂのデータが０となる前までＤＥパルス幅を大きくする。
【００５６】
図６〜１６は、この発明の実施の形態１に係る映像信号処理装置の位置調整部の処理を示すフローチャートである。なお、このフローチャートの動作の主体は、すべて位置調整部１５なので、記載を省略する。
図６〜１６において、まず、表示中の表示領域の四隅のデータの有無を確認する（ステップＳ２０１）。
【００５７】
続いて、四隅のデータの何れかが非０である（０でない）か否かを判定する（ステップＳ２０２）。
ステップＳ２０２において、四隅のデータの何れかが非０という条件が成立しない（すなわち、Ｎｏ）と判定された場合には、有効データ開始座標を確認し（ステップＳ２０３）、表示位置を上方向に有効データ開始座標（ライン）分移動させ（ステップＳ２０４）、表示位置を左側に有効データ開始座標（ピクセル）分移動させて（ステップＳ２０５）、ステップＳ２０１に移行する。
【００５８】
一方、ステップＳ２０２において、四隅のデータの何れかが非０である（すなわち、Ｙｅｓ）と判定された場合には、左上と左下が０かつ右上もしくは右下が非０であるか否かを判定する（ステップＳ２０６）。
【００５９】
ステップＳ２０６において、左上と左下が０かつ右上もしくは右下が非０である（すなわち、Ｙｅｓ）と判定された場合には、表示位置を左側に１ピクセル移動させて（ステップＳ２０７）、表示中の表示領域の四隅のデータの有無を確認する（ステップＳ２０８）。
【００６０】
次に、左上かつ左下が０であるか否かを判定する（ステップＳ２０９）。
ステップＳ２０９において、左上かつ左下が０である（すなわち、Ｙｅｓ）と判定された場合には、ステップＳ２０７に移行する。
【００６１】
一方、ステップＳ２０９において、左上かつ左下が０という条件が成立しない（すなわち、Ｎｏ）と判定された場合には、左上が０であるか否かが判定される（ステップＳ２１０）。なお、ステップＳ２０９でＮｏとなった場合に、表示領域の左端と表示位置の左端とが一致している。
【００６２】
ステップＳ２１０において、左上が０である（すなわち、Ｙｅｓ）と判定された場合には、表示位置を上方向に１ライン移動させて（ステップＳ２１１）、表示中の表示領域の四隅のデータの有無を確認して（ステップＳ２１２）、ステップＳ２１０に移行する。
【００６３】
一方、ステップＳ２１０において、左上が０という条件が成立しない（すなわち、Ｎｏ）と判定された場合には、表示位置を下方向に１ライン移動させて（ステップＳ２１３）、表示中の表示領域の四隅のデータの有無を確認して（ステップＳ２１４）、左上が０であるか否かが判定される（ステップＳ２１５）。
【００６４】
ステップＳ２１５において、左上が０という条件が成立しない（すなわち、Ｎｏ）と判定された場合には、ステップＳ２１３に移行する。
一方、ステップＳ２１５において、左上が０である（すなわち、Ｙｅｓ）と判定された場合には、表示位置を上方向に１ライン移動させる（ステップＳ２１６）。これにより、表示領域の左上と表示位置の左上とが一致する。
【００６５】
続いて、表示中の表示領域の四隅のデータの有無を確認して（ステップＳ２１７）、左下が０であるか否かが判定される（ステップＳ２１８）。
ステップＳ２１８において、左下が０である（すなわち、Ｙｅｓ）と判定された場合には、フロントポーチにフロントポーチ＋１を代入して（ステップＳ２１９）、ステップＳ２１７に移行する。
【００６６】
一方、ステップＳ２１８において、左下が０という条件が成立しない（すなわち、Ｎｏ）と判定された場合には、フロントポーチにフロントポーチ−１を代入して（ステップＳ２２０）、表示中の表示領域の四隅のデータの有無を確認して（ステップＳ２２１）、左下が０であるか否かが判定される（ステップＳ２２２）。
【００６７】
ステップＳ２２２において、左下が０という条件が成立しない（すなわち、Ｎｏ）と判定された場合には、ステップＳ２２０に移行する。
一方、ステップＳ２２２において、左下が０である（すなわち、Ｙｅｓ）と判定された場合には、フロントポーチにフロントポーチ＋１を代入する（ステップＳ２２３）。これにより、表示領域の左上および左下と表示位置の左上および左下とが一致する。
【００６８】
次に、表示中の表示領域の四隅のデータの有無を確認して（ステップＳ２２４）、右上が０であるか否かが判定される（ステップＳ２２５）。
ステップＳ２２５において、右上が０である（すなわち、Ｙｅｓ）と判定された場合には、ＤＥパルス幅にＤＥパルス幅−１を代入して（ステップＳ２２６）、ステップＳ２２４に移行する。
【００６９】
一方、ステップＳ２２５において、右上が０という条件が成立しない（すなわち、Ｎｏ）と判定された場合には、ＤＥパルス幅にＤＥパルス幅＋１を代入して（ステップＳ２２７）、表示中の表示領域の四隅のデータの有無を確認して（ステップＳ２２８）、右上が０であるか否かが判定される（ステップＳ２２９）。
【００７０】
ステップＳ２２９において、右上が０という条件が成立しない（すなわち、Ｎｏ）と判定された場合には、ステップＳ２２７に移行する。
一方、ステップＳ２２９において、右上が０である（すなわち、Ｙｅｓ）と判定された場合には、ＤＥパルス幅にＤＥパルス幅−１を代入して（ステップＳ２３０）、処理を終了する。これにより、表示領域の上下左右と表示位置の上下左右とが一致する。
【００７１】
一方、ステップＳ２０６において、左上と左下が０かつ右上もしくは右下が非０という条件が成立しない（すなわち、Ｎｏ）と判定された場合には、左上もしくは左下が非０かつ右上と右下が０であるか否かを判定する（ステップＳ２３１）。
【００７２】
ステップＳ２３１において、左上もしくは左下が非０かつ右上と右下が０である（すなわち、Ｙｅｓ）と判定された場合には、表示位置を右側に１ピクセル移動させて（ステップＳ２３２）、表示中の表示領域の四隅のデータの有無を確認する（ステップＳ２３３）。
【００７３】
続いて、左上かつ左下が０であるか否かを判定する（ステップＳ２３４）。
ステップＳ２３４において、左上かつ左下が０という条件が成立しない（すなわち、Ｎｏ）と判定された場合には、ステップＳ２３２に移行する。
【００７４】
一方、ステップＳ２３４において、左上かつ左下が０である（すなわち、Ｙｅｓ）と判定された場合には、表示位置を左側に１ピクセル移動させる（ステップＳ２３５）。これにより、表示領域の左端と表示位置の左端とが一致する。
【００７５】
次に、上述したステップＳ２１０〜２３０の処理により、表示領域の左上と表示位置の左上とが一致し、表示領域の左上および左下と表示位置の左上および左下とが一致し、表示領域の上下左右と表示位置の上下左右とが一致する。
【００７６】
一方、ステップＳ２３１において、左上もしくは左下が非０かつ右上と右下が０という条件が成立しない（すなわち、Ｎｏ）と判定された場合には、左上と右上が非０かつ左下と右下が０であるか否かが判定される（ステップＳ２３６）。
【００７７】
ステップＳ２３６において、左上と右上が非０かつ左下と右下が０である（すなわち、Ｙｅｓ）と判定された場合には、表示位置を右側に１ピクセル移動させて（ステップＳ２３７）、表示中の表示領域の四隅のデータの有無を確認し（ステップＳ２３８）、左上が０であるか否かが判定される（ステップＳ２３９）。
【００７８】
ステップＳ２３９において、左上が０という条件が成立しない（すなわち、Ｎｏ）と判定された場合には、ステップＳ２３７に移行する。
一方、ステップＳ２３９において、左上が０である（すなわち、Ｙｅｓ）と判定された場合には、表示位置を左側に１ピクセル移動させる（ステップＳ２４０）。これにより、表示領域の左端と表示位置の左端とが一致する。
【００７９】
続いて、表示中の表示領域の四隅のデータの有無を確認して（ステップＳ２４１）、左上が０であるか否かが判定される（ステップＳ２４２）。
ステップＳ２４２において、左上が０である（すなわち、Ｙｅｓ）と判定された場合には、表示位置を下方向に１ライン移動させて（ステップＳ２４３）、ステップＳ２４１に移行する。
【００８０】
一方、ステップＳ２４２において、左上が０という条件が成立しない（すなわち、Ｎｏ）と判定された場合には、表示位置を上方向に１ライン移動させる（ステップＳ２４４）。これにより、表示領域の左上と表示位置の左上とが一致する。
【００８１】
次に、表示中の表示領域の四隅のデータの有無を確認して（ステップＳ２４５）、左下が０であるか否かが判定される（ステップＳ２４６）。
ステップＳ２４６において、左下が０である（すなわち、Ｙｅｓ）と判定された場合には、フロントポーチにフロントポーチ＋１を代入して（ステップＳ２４７）、ステップＳ２４５に移行する。
【００８２】
一方、ステップＳ２４６において、左下が０という条件が成立しない（すなわち、Ｎｏ）と判定された場合には、この段階で、表示領域の左上および左下と表示位置の左上および左下とが一致し、上述したステップＳ２２４〜２３０の処理により、表示領域の上下左右と表示位置の上下左右とが一致する。
【００８３】
一方、ステップＳ２３６において、左上と右上が非０かつ左下と右下が０という条件が成立しない（すなわち、Ｎｏ）と判定された場合には、左上と右上が０かつ左下と右下が非０であるか否かが判定される（ステップＳ２４８）。
【００８４】
ステップＳ２４８において、左上と右上が０かつ左下と右下が非０である（すなわち、Ｙｅｓ）と判定された場合には、表示位置を右側に１ピクセル移動させて（ステップＳ２４９）、表示中の表示領域の四隅のデータの有無を確認し（ステップＳ２５０）、左下が０であるか否かが判定される（ステップＳ２５１）。
【００８５】
ステップＳ２５１において、左下が０という条件が成立しない（すなわち、Ｎｏ）と判定された場合には、ステップＳ２４９に移行する。
一方、ステップＳ２５１において、左下が０である（すなわち、Ｙｅｓ）と判定された場合には、表示位置を左側に１ピクセル移動させる（ステップＳ２５２）。これにより、表示領域の左端と表示位置の左端とが一致する。
【００８６】
続いて、表示中の表示領域の四隅のデータの有無を確認して（ステップＳ２５３）、左上が０であるか否かが判定される（ステップＳ２５４）。
ステップＳ２５４において、左上が０である（すなわち、Ｙｅｓ）と判定された場合には、表示位置を上方向に１ライン移動させて（ステップＳ２５５）、ステップＳ２５３に移行する。
【００８７】
一方、ステップＳ２５４において、左上が０という条件が成立しない（すなわち、Ｎｏ）と判定された場合には、この段階で、表示領域の左上と表示位置の左上とが一致し、ステップＳ２４５〜２４７の処理により、表示領域の左上および左下と表示位置の左上および左下とが一致し、ステップＳ２２４〜２３０の処理により、表示領域の上下左右と表示位置の上下左右とが一致する。
【００８８】
一方、ステップＳ２４８において、左上と右上が０かつ左下と右下が非０という条件が成立しない（すなわち、Ｎｏ）と判定された場合には、表示位置を右側に１ピクセル移動させて（ステップＳ２５６）、表示中の表示領域の四隅のデータの有無を確認し（ステップＳ２５７）、左上かつ左下が０であるか否かが判定される（ステップＳ２５８）。
【００８９】
ステップＳ２５８において、左上かつ左下が０という条件が成立しない（すなわち、Ｎｏ）と判定された場合には、ステップＳ２５６に移行する。
一方、ステップＳ２５８において、左上かつ左下が０である（すなわち、Ｙｅｓ）と判定された場合には、表示位置を左側に１ピクセル移動させる（ステップＳ２５９）。これにより、表示領域の左端と表示位置の左端とが一致する。
【００９０】
次に、表示位置を下方向に１ライン移動させて（ステップＳ２６０）、表示中の表示領域の四隅のデータの有無を確認して（ステップＳ２６１）、左上が０であるか否かが判定される（ステップＳ２６２）。
【００９１】
ステップＳ２６２において、左上が０という条件が成立しない（すなわち、Ｎｏ）と判定された場合には、ステップＳ２６０に移行する。
一方、ステップＳ２６２において、左上が０である（すなわち、Ｙｅｓ）と判定された場合には、表示位置を上方向に１ライン移動させる（ステップＳ２６３）。これにより、表示領域の左上と表示位置の左上とが一致する。
【００９２】
続いて、上述したステップＳ２４５〜２４７の処理により、表示領域の左上および左下と表示位置の左上および左下とが一致し、ステップＳ２２４〜２３０の処理により、表示領域の上下左右と表示位置の上下左右とが一致する。
【００９３】
このように、位置調整部１５が、デジタル映像信号の１フレーム分の映像データのうち、画像内の四隅の１ピクセルのデータ値を確認し、データ値が０であるか、０以外であるかに応じて、ＤＥ信号の開始位置およびパルス幅、並びにＤＥ信号のＶブランク期間バックポーチおよびＶブランク期間フロントポーチを変化させる。これにより、アナログ信号のサンプリング時に入力データを全て取り込むことができる。
【００９４】
以上のように、実施の形態１によれば、デジタル映像信号の映像データの１フレームにおいて、水平方向に連続する２ピクセルのデータ値の差が大きくなる箇所を、大きい順に２箇所決定し、２箇所の連続する２ピクセルについて、一方は先のピクセルに対して、他方は後のピクセルに対して、それぞれ続く複数フレーム分の分散を求め、Ａ／Ｄ変換部のサンプリング位相を変えて、再度２箇所の連続する２ピクセルについて、一方は先のピクセルに対して、他方は後のピクセルに対して、それぞれ続く複数フレーム分の分散を求める処理を、Ａ／Ｄ変換部のサンプリング位相の可変回数繰り返し、求められた分散が最も小さくなるサンプリング位相を、最適なサンプリング位相として選択する。
また、実施の形態１によれば、デジタル映像信号の１フレーム分の映像データのうち、画像内の四隅の１ピクセルのデータ値を確認し、データ値が０であるか、０以外であるかに応じて、ＤＥ信号の開始位置およびパルス幅、並びにＤＥ信号のＶブランク期間バックポーチおよびＶブランク期間フロントポーチを変化させる。
そのため、表示装置に表示される映像の乱れを抑制することができる。
【符号の説明】
【００９５】
１０  映像信号処理装置、１１  Ａ／Ｄ変換部、１２  クロック生成部、１３  位相調整部、１４  イネーブル信号生成部、１５  位置調整部、２０  表示装置。
【図１】
2017085402.tif 000003
【図２】
2017085402.tif 000004
【図３】
2017085402.tif 000005
【図４】
2017085402.tif 000006
【図５】
2017085402.tif 000007
【図６】
2017085402.tif 000008
【図７】
2017085402.tif 000009
【図８】
2017085402.tif 000010
【図９】
2017085402.tif 000011
【図１０】
2017085402.tif 000012
【図１１】
2017085402.tif 000013
【図１２】
2017085402.tif 000014
【図１３】
2017085402.tif 000015
【図１４】
2017085402.tif 000016
【図１５】
2017085402.tif 000017
【図１６】
2017085402.tif 000018
【手続補正書】
【提出日】平成29年2月21日(2017.2.21)
【手続補正１】
【補正対象書類名】明細書
【補正対象項目名】００１１
【補正方法】削除
【補正の内容】
【手続補正２】
【補正対象書類名】明細書
【補正対象項目名】００１３
【補正方法】削除
【補正の内容】
【手続補正３】
【補正対象書類名】明細書
【補正対象項目名】００１４
【補正方法】変更
【補正の内容】
【００１４】
この発明に係る映像信号処理装置および映像信号処理方法によれば、デジタル映像信号の映像データの１フレームにおいて、水平方向に連続する２ピクセルのデータ値の差が大きくなる箇所を、大きい順に２箇所決定し、２箇所の連続する２ピクセルについて、一方は先のピクセルに対して、他方は後のピクセルに対して、それぞれ続く複数フレーム分の分散を求め、Ａ／Ｄ変換部のサンプリング位相を変えて、再度２箇所の連続する２ピクセルについて、一方は先のピクセルに対して、他方は後のピクセルに対して、それぞれ続く複数フレーム分の分散を求める処理を、Ａ／Ｄ変換部のサンプリング位相の可変回数繰り返し、求められた分散が最も小さくなるサンプリング位相を、最適なサンプリング位相として選択する。
そのため、表示装置に表示される映像の乱れを抑制することができる。
【手続補正４】
【補正対象書類名】特許請求の範囲
【補正対象項目名】全文
【補正方法】変更
【補正の内容】
【特許請求の範囲】
【請求項１】
サンプリングクロックに応じて、映像信号源から入力されたアナログ映像信号をデジタル映像信号に変換するＡ／Ｄ変換部と、
前記映像信号源からの水平同期信号に基づいて、前記サンプリングクロックを生成するクロック生成部と、
前記デジタル映像信号と、前記水平同期信号および垂直同期信号とに基づいて、最適なサンプリング位相を選択し、前記サンプリングクロックを補正する位相調整部と、を備え、
前記位相調整部は、
前記デジタル映像信号の映像データの１フレームにおいて、水平方向に連続する２ピクセルのデータ値の差が大きくなる箇所を、大きい順に２箇所決定し、
前記２箇所の連続する２ピクセルについて、一方は先のピクセルに対して、他方は後のピクセルに対して、それぞれ続く複数フレーム分の分散を求め、
前記Ａ／Ｄ変換部のサンプリング位相を変えて、再度前記２箇所の連続する２ピクセルについて、一方は先のピクセルに対して、他方は後のピクセルに対して、それぞれ続く複数フレーム分の分散を求める処理を、前記Ａ／Ｄ変換部のサンプリング位相の可変回数繰り返し、
求められた分散が最も小さくなるサンプリング位相を、最適なサンプリング位相として選択する
映像信号処理装置。
【請求項２】
前記映像信号源からの水平同期信号および垂直同期信号と、ＤＥフィードバック信号とに基づいて、映像データの有効期間を示すＤＥ信号を生成するイネーブル信号生成部と、
前記Ａ／Ｄ変換部からの前記デジタル映像信号と、前記水平同期信号および垂直同期信号と、前記イネーブル信号生成部からの前記ＤＥ信号とに基づいて、前記ＤＥ信号を補正するためのＤＥフィードバック信号を前記イネーブル信号生成部に出力する位置調整部と、をさらに備え、
前記位置調整部は、
前記デジタル映像信号の１フレーム分の映像データのうち、画像内の四隅の１ピクセルのデータ値を確認し、
前記データ値が０であるか、０以外であるかに応じて、前記ＤＥ信号の開始位置およびパルス幅、並びに前記ＤＥ信号のＶブランク期間バックポーチおよびＶブランク期間フロントポーチを変化させる
請求項１に記載の映像信号処理装置。
【請求項３】
サンプリングクロックに応じて、映像信号源から入力されたアナログ映像信号をデジタル映像信号に変換するＡ／Ｄ変換部と、
前記映像信号源からの水平同期信号に基づいて、前記サンプリングクロックを生成するクロック生成部と、
前記デジタル映像信号と、前記水平同期信号および垂直同期信号とに基づいて、最適なサンプリング位相を選択し、前記サンプリングクロックを補正する位相調整部と、を備えた映像信号処理装置で実行される映像信号処理方法であって、
前記デジタル映像信号の映像データの１フレームにおいて、水平方向に連続する２ピクセルのデータ値の差が大きくなる箇所を、大きい順に２箇所決定するステップと、
前記２箇所の連続する２ピクセルについて、一方は先のピクセルに対して、他方は後のピクセルに対して、それぞれ続く複数フレーム分の分散を求めるステップと、
前記Ａ／Ｄ変換部のサンプリング位相を変えて、再度前記２箇所の連続する２ピクセルについて、一方は先のピクセルに対して、他方は後のピクセルに対して、それぞれ続く複数フレーム分の分散を求める処理を、前記Ａ／Ｄ変換部のサンプリング位相の可変回数繰り返すステップと、
求められた分散が最も小さくなるサンプリング位相を、最適なサンプリング位相として選択するステップと、
を有する映像信号処理方法。